(57)【特許請求の範囲】
【請求項１】
着用者の排泄液を吸収する吸収パッドであって、
液透過性の一対の表面シートと、
前記一対の表面シートの間に、互いに間隔をあけて配置された複数の吸収体と、
を備え、
前記一対の表面シートに、前記複数の吸収体の間隙に沿ってのびる弱化線が形成されており、
前記一対の表面シートは、少なくとも、前記複数の吸収体の間隙において、前記吸収体及び前記表面シートの間よりも高い密度で塗布された接着剤で互いに接合されており、
前記複数の吸収体は、前記吸収パッドの長手方向に一列に配列されており、
前記表面シートの繊維の配向は、前記弱化線に沿う方向であり、
前記弱化線が、隣り合う前記吸収体の間に設けられていることを特徴とする吸収パッド。
【請求項２】
請求項１に記載の吸収パッドであって、
前記複数の吸収体は、三角形状の吸収体を含むことを特徴とする吸収パッド。
【発明の詳細な説明】
【技術分野】
【０００１】
本発明は、着用者の排泄液を吸収する吸収パッドに関する。
【背景技術】
【０００２】
従来、おむつとともに使用されて、おむつによる尿の吸収を補助する吸収パッドが知られている。このような吸収パッドの例として、特許文献１には、バックシートと液透性のトップシートとの間に吸収体が配置された、使い捨て補助パッドが記載されている。
【先行技術文献】
【特許文献】
【０００３】
【特許文献１】特許第４１３２４６５号公報
【発明の概要】
【発明が解決しようとする課題】
【０００４】
おむつによる尿の吸収を適切に補助するためには、着用者の体型や、吸収パッドを配置する部位に応じて、吸収パッドの大きさや厚みを、変更することが望ましい。しかしながら、従来の吸収パッドは、予め与えられたサイズのまま使用することが想定されていた。このため、従来の吸収パッドを小さいサイズに切断して使用したり、折り畳んで使用したりすることは、困難であった。
【０００５】
本発明は、このような事情に鑑みなされたものであり、予め与えられたサイズのままで使用することができるとともに、小さいサイズに切断して使用することもでき、また、折り畳むことにより全体又は部分的に積層された状態で使用することもできる吸収パッドを提供することを目的とする。
【課題を解決するための手段】
【０００６】
上記課題を解決するため、本願の第１発明は、着用者の排泄液を吸収する吸収パッドであって、液透過性の一対の表面シートと、前記一対の表面シートの間に、互いに間隔をあけて配置された複数の吸収体と、を備え、前記一対の表面シートに、前記複数の吸収体の間隙に沿ってのびる弱化線が形成されており、前記一対の表面シートは、少なくとも、前記複数の吸収体の間隙において、前記吸収体及び前記表面シートの間よりも高い密度で塗布された接着剤で互いに接合されており、前記複数の吸収体は、前記吸収パッドの長手方向に一列に配列されており、前記表面シートの繊維の配向は、前記弱化線に沿う方向であり、前記弱化線が、隣り合う前記吸収体の間に設けられていることを特徴とする。
【００１０】
本願の第２発明は、第１発明の吸収パッドであって、前記複数の吸収体は、三角形状の吸収体を含むことを特徴とする。
【発明の効果】
【００１１】
本願の第１発明〜第２発明によれば、使用者は、必要に応じて、吸収パッドを弱化線に沿って切断できる。使用者は、吸収パッドを、予め与えられたサイズのままで使用することができるとともに、小さいサイズに切断して使用することもできる。また、使用者は、弱化線を境として吸収パッドを折り畳み、全体又は部分的に積層された状態で、吸収パッドを使用することもできる。
【００１２】
また、本願の第１発明によれば、切断後の吸収パッドの端部において、一対の表面シートが開いたり、切断後の吸収パッドの端部から、吸収体が漏れ出したりすることを、防止できる。
【００１３】
また、本願の第１発明によれば、任意の箇所で弱化線を破断することにより、所望の長さの吸収パッドを得ることができる。また、弱化線の切断方向が一方向のみとなるため、切断作業が容易となる。
【００１４】
また、本願の第１発明によれば、吸収パッドを、弱化線に沿う方向に、より容易に切断できる。
【００１５】
特に、本願の第２発明によれば、吸収パッドを、鋭角を含む形状に切断できる。このため、切断後の吸収パッドを、狭い隙間にフィットさせることができる。例えば、切断後の吸収パッドを、着用者の大腿部とおむつとの隙間を埋めるために、使用することができる。
【図面の簡単な説明】
【００１６】
【図１】吸収パッドの斜視図である。
【図２】吸収パッドの平面図である。
【図３】吸収パッドを図２中のIII−III位置から見た断面図である。
【図４】吸収パッドを切断するときの様子を示した図である。
【図５】折り畳まれた吸収パッドの斜視図である。
【図６】３つの吸収体が一列に配置された吸収パッドの平面図である。
【図７】４つの吸収体が二次元的に配置された吸収パッドの平面図である。
【図８】部分的に折り畳まれた吸収パッドの斜視図である。
【図９】三角形状の吸収体を有する吸収パッドの平面図である。
【図１０】三角形状の吸収体を有する吸収パッドの平面図である。
【図１１】切断後の三角形状の吸収パッドの使用例を示した図である。
【発明を実施するための形態】
【００１７】
以下、本発明の好適な実施形態について、図面を参照しつつ説明する。
【００１８】
＜１．一実施形態に係る吸収パッド＞
図１は、本発明の一実施形態に係る吸収パッド１の斜視図である。図２は、吸収パッド１の平面図である。また、図３は、吸収パッド１を図２中のIII−III位置から見た断面図である。
【００１９】
この吸収パッド１は、おむつの内側に敷いたり、おむつと着用者の肌との隙間に挿し込んだりして、おむつによる尿の吸収を補助するためのものである。おむつの着用者は、おむつとともに吸収パッド１を使用することにより、おむつからの尿の漏れ（隙間漏れや伝い漏れなど）を防止することができる。
【００２０】
図１〜図３に示したように、吸収パッド１は、一対の液透過性の表面シート１１，１２と、両シート１１，１２の間に挟まれた２つの吸収体２１，２２とを備えている。おむつの着用者から排泄された尿が、表面シート１１，１２に接触すると、当該尿は、表面シート１１，１２を透過して、吸収体２１，２２に吸収保持される。
【００２１】
表面シート１１，１２は、例えば、親水性繊維（セルロース、レーヨン、コットン等）を用いた不織布により構成される。また、表面シート１１，１２は、疎水性繊維（ポリプロピレン、ポリエチレン、ポリエステル、ポリアミド、ナイロン等）の表面を界面活性剤により処理して液透過性とした不織布により構成されていてもよい。
【００２２】
吸収体２１，２２は、例えば、顆粒状の高分子吸収体を平面状に分布させたものにより構成される。吸収体２１，２２は、粉砕したパルプ繊維やセルロース繊維などの親水性繊維の集合層に、顆粒状の高分子吸収体を混合した塊を、ティッシュペーパーなどの紙シート又は液透過性の不織布で被覆したものであってもよい。また、吸収体２１，２２は、一対の液透過性のシートの間に接着剤を介して高分子吸収体を固定したシート状の吸収体であってもよい。
【００２３】
なお、吸収体２１，２２を、パルプ非存在の高分子吸収体により構成すれば、吸収体２１，２２を薄型化できる点で、好ましい。
【００２４】
図３に示したように、吸収体２１，２２は、一対の表面シート１１，１２の間に、接着剤３１により固定されている。２つの吸収体２１，２２は、表面シート１１，１２に沿う方向に、互いに間隔をあけて配置されている。２つの吸収体２１，２２の間（以下、「間隙部１３」という。）や、吸収パッド１の周縁部１４においては、一対の表面シート１１，１２同士が、接着剤３１を介して接合されている。
【００２５】
なお、表面シート１１，１２と吸収体２１，２２との間には、間隙部１３や周縁部１４よりも低い密度で、接着剤３１が塗布されている。これにより、表面シート１１，１２から吸収体２１，２２への尿の透過が、接着剤３１により阻まれることが、抑制されている。
【００２６】
図１〜図３に示したように、一対の表面シート１１，１２の間隙部１３に位置する部分には、ミシン目１５が形成されている。ミシン目１５は、表面シート１１，１２の一方の端辺から他方の端辺まで、隣り合う吸収体２１，２２の間隙に沿ってのびている。図４に示したように、使用者は、必要に応じて、吸収パッド１を、ミシン目１５に沿って切断できる。これにより、切断前の吸収パッド１より小さいサイズの２つの吸収パッド２，３を得ることができる。
【００２７】
切断されていない吸収パッド１は、例えば、おむつの内側の比較的広い領域に敷いて、使用することができる。一方、切断後の吸収パッド２，３は、例えば、着用者とおむつとの間の小さい隙間を埋めるために、使用することができる。使用者は、切断のためにハサミ等の器具を用意する必要はなく、ミシン目１５に沿って吸収パッド１を手動で容易に切断できる。
【００２８】
このように、使用者は、吸収パッド１を、予め与えられたサイズのままで使用することができるとともに、小さいサイズに切断して使用することもできる。すなわち、使用者は、吸収パッドのサイズを、状況に応じて選択することができる。これにより、着用者の体型や、吸収パッドを配置する部位に応じて、適当なサイズの吸収パッドを、無駄なく使用することができる。
【００２９】
また、上述の通り、一対の表面シート１１，１２は、間隙部１３及び周縁部１４において、互いに接合されている。このため、切断後の吸収パッド２，３も、周縁部において表面シート１１，１２同士が接合された状態となっている。したがって、切断後の吸収パッド２，３の周縁部において、一対の表面シート１１，１２が開いたり、切断後の吸収パッド２，３の周縁部から吸収体２１，２２が漏れ出したりすることが、防止される。
【００３０】
また、図５に示したように、使用者は、吸収パッド１を、ミシン目１５を境として折り畳んで使用することもできる。このようにすれば、２つの吸収体２１，２２が積層配置されるため、単位面積当たりの尿の吸収能力が向上する。使用者は、例えば、尿の漏れ量が多い箇所に、吸収パッド１を折り畳んで配置することができる。
【００３１】
すなわち、本実施形態において、ミシン目１５は、吸収パッド１の切断を容易にする役割と、吸収パッド１の折り畳みを容易にする役割と、の双方を果たす。また、本実施形態では、表面シート１１，１２の繊維の配向が、ミシン目１５に沿う方向（図４中の矢印Ａの方向）となっている。このため、使用者は、吸収パッド１を、ミシン目１５に沿う方向に、より容易に切断できるとともに、ミシン目１５を境として、吸収パッド１をより容易に折り畳むことができる。
【００３２】
＜２．変形例＞
以上、本発明の一実施形態について説明したが、本発明は上記の実施形態に限定されるものではない。
【００３３】
上記の実施形態のように、表面シート１１，１２の繊維の配向が、ミシン目１５に沿う方向であれば、吸収パッド１の切断や折り畳みがより容易となる点で望ましいが、表面シート１１，１２の繊維の配向は、必ずしもミシン目１５に沿う方向でなくてもよい。例えば、表面シート１１，１２の繊維の配向が、ミシン目１５に直交する方向であってもよい。
【００３４】
また、上記の実施形態では、一対の表面シート１１，１２の間に、２つの吸収体２１，２２が配置されていたが、一対の表面シート１１，１２の間に、３つ以上の吸収体が配置されていてもよい。例えば、図６の吸収パッド１Ａのように、一対の表面シートの間に、３つの吸収体２１Ａ〜２３Ａが配置されていてもよい。図６の例では、吸収体２１Ａと吸収体２２Ａとの間にミシン目１５Ａが形成され、吸収体２２Ａと吸収体２３Ａとの間にミシン目１６Ａが形成されている。
【００３５】
図６のように、複数の吸収体を一列に配列し、隣り合う吸収体の間にミシン目を形成すれば、任意のミシン目を破断することにより、所望の長さの吸収パッドを得ることができる。また、ミシン目の切断方向は一方向のみとなり、かつ、切断すべきミシン目の長さも一辺分のみとなるため、吸収パッドの切断作業が容易となる。
【００３６】
また、図７の吸収パッド１Ｂように、一対の表面シートの間に、４つの吸収体２１Ｂ〜２４Ｂが二次元的に配置されていてもよい。図７の例では、吸収体２１Ｂ，２２Ｂと吸収体２３Ｂ，２４Ｂとの間にミシン目１５Ｂが形成され、吸収体２１Ｂ，２３Ｂと吸収体２２Ｂ，２４Ｂとの間にミシン目１６Ｂが形成されている。
【００３７】
図６や図７の例では、吸収パッドを部分的に折り畳んで使用することが可能となる。図８は、図６の吸収パッド１Ａを、ミシン目１６Ａを境として折り畳んだ状態を示した斜視図である。図８の例では、吸収パッド１Ａに含まれる３つの吸収体２１Ａ〜２３Ａのうち、２つの吸収体２２Ａ，２３Ａが積層された状態となっている。このようにすれば、例えば、尿の漏れ量が多い箇所に、積層された２つの吸収体２２Ａ，２３Ａを配置し、尿の漏れ量が少ない箇所に残りの１つの吸収体２１Ａを配置する、といった使用の仕方が可能となる。
【００３８】
また、上記の実施形態では、平面視において矩形の吸収体２１，２２が使用されていたが、各吸収体の形状は、矩形以外の形状であってもよい。例えば、図９の吸収パッド１Ｃや図１０の吸収パッド１Ｄのように、一対の表面シートの間に、平面視において三角形状の吸収体が配置されていてもよい。
【００３９】
図９の例では、一対の表面シートの間に、平面視において略直角二等辺三角形状の２つの吸収体２１Ｃ，２２Ｃが配置されている。各吸収体２１Ｃ，２２Ｃは、斜辺同士が対向するように、配置されている。そして、吸収体２１Ｃと吸収体２２Ｃとの間に、ミシン目１５Ｃが形成されている。
【００４０】
図１０の例では、一対の表面シートの間に、平面視において略直角二等辺三角形状の４つの吸収体２１Ｄ〜２４Ｄが配置されている。各吸収体２１Ｄ〜２４Ｄは、直角部同士が対向し、全体として吸収パッド１Ｄが略正方形状となるように、配列されている。そして、吸収体２１Ｄ，２２Ｄと吸収体２３Ｄ，２４Ｄとの間にミシン目１５Ｄが形成され、吸収体２１Ｄ，２３Ｄと吸収体２２Ｄ，２４Ｄとの間にミシン目１６Ｄが形成されている。
【００４１】
このようにすれば、吸収パッドを、鋭角を含む形状に切断できる。このため、切断後の吸収パッドを、狭い隙間にフィットさせることができる。例えば、図１１に示したように、切断後の吸収パッドを、着用者の大腿部とおむつとの隙間を埋めるために、使用することができる。
【００４２】
また、上記の実施形態や変形例では、吸収パッドに含まれる複数の吸収体の形状や大きさが同じであったが、１つの吸収パッドに、形状や大きさの異なる２つの吸収体が含まれていてもよい。例えば、１つの吸収パッドに、平面視において矩形状の吸収体と、平面視において三角形状の吸収体とが、混在していてもよい。
【００４３】
また、上記の実施形態や変形例では、吸収パッドに含まれる全ての間隙部にミシン目が形成されていたが、ミシン目が形成されていない間隙部があってもよい。
【００４４】
また、上記の実施形態や変形例では、弱化線としてミシン目が設けられていたが、本発明の弱化線は、ミシン目に限定されるものではない。弱化線は、表面シートを部分的に弱化させて、吸収パッドの切断や折り畳みを容易にするものであればよい。例えば、ミシン目に代えて、超音波融着、熱融着、エンボス加工等による弱化線が形成されていてもよい。
【００４５】
また、上記の実施形態では、吸収パッド１は、おむつとともに使用されて補助的に尿を吸収するものであったが、本発明の吸収パッドは、おむつとは別に使用されるものであってもよい。また、本発明の吸収パッドは、尿以外の排泄液を吸収するものであってもよい。
【００４６】
また、本発明の吸収パッドは、成人を対象としたものであってもよく、幼児を対象としたものであってもよい。
【符号の説明】
【００４７】
１，１Ａ，１Ｂ，１Ｃ，１Ｄ  吸収パッド
２，３  切断後の吸収パッド
１１，１２  表面シート
１３  間隙部
１４  周縁部
１５，１５Ａ，１５Ｂ，１５Ｃ，１５Ｄ，１６Ａ，１６Ｂ，１６Ｄ  ミシン目
２１，２２，２１Ａ，２２Ａ，２３Ａ，２１Ｂ，２２Ｂ，２３Ｂ，２４Ｂ，２１Ｃ，２２Ｃ，２１Ｄ，２２Ｄ，２３Ｄ，２４Ｄ  吸収体
【図１】
0005619393.tif 000002
【図２】
0005619393.tif 000003
【図３】
0005619393.tif 000004
【図４】
0005619393.tif 000005
【図５】
0005619393.tif 000006
【図６】
0005619393.tif 000007
【図７】
0005619393.tif 000008
【図８】
0005619393.tif 000009
【図９】
0005619393.tif 000010
【図１０】
0005619393.tif 000011
【図１１】
0005619393.tif 000012